(57)【要約】【課題】撮影希望者を確実に撮影して、この撮影画像を撮影希望者に提供する。【解決手段】Ｗｅｂサーバ５は、競技場内に居る観客の携帯電話９から、所望の撮影要求（この観客が居る撮影エリアの識別番号、撮影希望時刻、メールアドレス等）を入力させる。ＤＢサーバ４には、予め、撮影カメラ１で各撮影エリアを撮影させる為の操作条件が記憶されている。これより、撮影カメラ制御装置２は、上記撮影希望時刻になったら、上記観客の撮影エリアに対応する操作条件をＤＢサーバ４から取得して、この操作条件に基づいて撮影カメラ１を制御して、その撮影方向を上記観客が居る撮影エリアへ向けさせて、上記観客を撮影させる。【選択図】図１
2007142896.tif 000002
【特許請求の範囲】
【請求項１】
予め１又は複数の観客席を含む各撮影エリア毎に、該撮影エリアを撮影する為の撮影カメラの操作条件を記憶する操作条件記憶手段と、
外部の情報処理端末において任意の撮影要求を入力させて、該撮影要求を取得して記憶する撮影要求取得・記憶手段と、
該撮影要求から得られる撮影対象の撮影エリアに対応する前記操作条件を前記操作条件記憶手段から取得して、該操作条件に基づいて前記撮影カメラを制御して、該撮影カメラに前記撮影対象の撮影エリアを撮影させる撮影カメラ制御手段と、
該撮影画像を提供する提供手段と、
を有することを特徴とする観客画像提供システム。
【請求項２】
予め１又は複数の観客席を含む各撮影エリア毎に、該撮影エリアを撮影する為の撮影カメラの操作条件を記憶する操作条件記憶手段と、
外部の情報処理端末において任意の撮影要求を入力させて、該撮影要求を取得して記憶する撮影要求取得・記憶手段と、
該撮影要求から得られる撮影対象の撮影エリアに対応する前記操作条件を前記操作条件記憶手段から取得して、該操作条件に基づいてカメラマンに指示することで、該撮影カメラに前記撮影対象の撮影エリアを撮影させる撮影指示手段と、
該撮影画像を提供する提供手段と、
を有することを特徴とする観客画像提供システム。
【請求項３】
予め１又は複数の観客席を含む各撮影エリア毎に、該撮影エリアの各境界と撮影カメラの撮影方向との対応関係を記憶する対応関係記憶手段と、
外部の情報処理端末において任意の撮影要求を入力させて、該撮影要求を取得して記憶する撮影要求取得・記憶手段と、
前記撮影カメラの撮影方向を検出する撮影方向検出手段と、
前記撮影カメラで撮影された画像と、前記撮影方向検出手段で検出された前記撮影カメラの撮影方向とを入力し、前記対応関係記憶手段に記憶された前記対応関係を参照して、該撮影画像から前記各撮影エリアの画像を切り出して格納するエリア毎画像切出・格納手段と、
前記撮影要求に応じた撮影エリアの画像を、前記エリア毎画像切出・格納手段から取得して提供する提供手段と、
を有することを特徴とする観客画像提供システム。
【請求項４】
撮影カメラを制御する撮影カメラ制御装置であって、
予め記憶されている、各撮影エリアに対応する前記撮影カメラの操作条件と、外部の情報処理端末から入力された任意の撮影要求とに基づいて、該撮影要求から得られる撮影対象の撮影エリアに対応する前記操作条件に基づいて前記撮影カメラを制御して、該撮影カメラに前記撮影対象の撮影エリアを撮影させる制御手段、
を有することを特徴とする撮影カメラ制御装置。
【請求項５】
撮影カメラを制御するコンピュータに、
予め記憶されている、各撮影エリアに対応する前記撮影カメラの操作条件と、外部の情報処理端末から入力された任意の撮影要求とに基づいて、該撮影要求から得られる撮影対象の撮影エリアに対応する前記操作条件に基づいて前記撮影カメラを制御して、該撮影カメラに前記撮影対象の撮影エリアを撮影させる機能、
を実現させる為のプログラム。
【発明の詳細な説明】
【技術分野】
【０００１】
本発明は、競技場／イベント会場等における観客の画像を撮影・提供するシステムに関する。
【背景技術】
【０００２】
従来より、スポーツ等の試合の中継において、選手のプレー映像だけでなく、例えばプレーの合間に観客を映すことは、当たり前に行われている。例えば図２１に示すように、撮影カメラ３００で撮影した観客の映像を、スポーツ競技場等の大型映像装置３０１に表示したり、スポーツ中継等の一シーンとして放送局３０２を介してテレビ映像として放映したりする。これは、勿論、スポーツ等の競技場に限らず、何らかのイベント会場（例えばコンサート等）においても、同様である。
【０００３】
また、例えば特許文献１の発明では、チケットに記載のチケット番号を元に興行を特定し、その興行に関する情報（興行の模様や、コンサートの場合には楽曲リスト等）を印刷して提供することが提案されている。これは、例えば、コンサート終了後に、コンビニエンスストア等で店舗内端末からチケット番号を入力すると、このチケット番号が情報サーバに送信される。情報サーバは、このチケット番号に対応する興行関連情報（コンサートの模様を写し取ったディジタル画像データやコンサートで披露された楽曲リスト）を検索して、これを店舗内端末に提示する。店舗内端末は、これらの情報を所定の用紙に印刷する。
【０００４】
また、例えば特許文献２の発明は、ＩＣタグを選手Ｈ及び観客Ｋに所持させ、複数のタグセンサによって選手Ｈ及び観客Ｋの位置をリアルタイムで把握する。そして、各観客が所持するカメラに対して、所定時間毎に、選手Ｈ及び観客Ｋの位置を示す位置情報を送信する。これより、各カメラは、所望の選手Ｈを撮影範囲に収める為の撮影方向及び拡大倍率を導出して、当該カメラに備えられた液晶ディスプレイに表示すると共に、ズーム倍率を制御する。
【０００５】
また、特許文献３の発明は、複数カメラで撮影したストリームデータを１つに合成し、視聴者が選択した任意のストリームデータを分離して表示できる技術を提案している。
【特許文献１】特開２００２−９９６５６号公報
【特許文献２】特開２００３−２８９４６５号公報
【特許文献３】特開２００３−１８５８３号公報
【発明の開示】
【発明が解決しようとする課題】
【０００６】
ところで、上記の様な競技場等に足を運んで観戦した観客は、その観戦記念として、観戦した試合の映像を欲する場合がある。特に、折角その場にいるのだから、単にＴＶ中継を自宅の録画装置で録画するようなものではなく、自分がその場に居たことが分かるような映像が入手できることが望まれている。
【０００７】
しかし、上記従来技術では、撮影カメラマンが勝手に撮ったり、モニタルームで選択されたりした映像が、大型映像装置に表示されたりテレビ放映されるだけで、希望者が必ず撮影される訳ではなく、また、いつ撮影されるかも不明である。
【０００８】
また、そもそも、観客の一人として試合中は競技場内に居るのであるから、単にテレビ放映画像を録画したい場合でも、予め留守録等をセットしておく必要があり、試合中に「よい試合だから後で画像を見たい」と思っても手遅れとなる。また、試合がＴＶ中継されない場合もあるので、録画不可能な場合もある。
【０００９】
これに対しては、上記特許文献１の発明を利用することで、後からでも（更にＴＶ中継されない場合でも）、試合の撮影画像を入手することが可能となる。
しかしながら、結局、自分が必ず撮影されるわけではないので、上記問題は解決されない。
【００１０】
また、上記特許文献２の発明では、観客の位置も検出しているが、これは観客を撮影する為ではなく、各観客と選手との位置関係を算出する為のものであり、観客が選手を撮影する為の補助を行っているに過ぎない。
【００１１】
また、特許文献３に関しても、複数台のカメラのどれかで自分が必ず撮影されるわけではないので、上記問題は解決されない。また、偶然に、複数台のカメラのどれかで希望者が撮影されていたとしても、自分が写っている画像を目視で探し出す作業が必要となり、非常に手間が掛かることになる。
【００１２】
本発明の課題は、スポーツ／イベント等の観客の中の任意の撮影希望者に、何らかの識別情報を入力させることで、その位置を判別して撮影を行うことにより、撮影希望者や当該撮影希望者を含むグループ等の映像を確実に撮影して提供可能とし、更に何時撮影するのか等の撮影条件を撮影希望者が指定することもでき、また、撮影が任意に行われる場合でも、観客席を撮影した映像から撮影希望者が居るエリアの映像を切り出して、当該撮影希望者にそのエリアの映像を提供できるようにする観客画像提供システム等を提供することである。
【課題を解決するための手段】
【００１３】
本発明の第１の観客画像提供システムは、予め１又は複数の観客席を含む各撮影エリア毎に、該撮影エリアを撮影する為の撮影カメラの操作条件を記憶する操作条件記憶手段と、外部の情報処理端末において任意の撮影要求を入力させて、該撮影要求を取得して記憶する撮影要求取得・記憶手段と、該撮影要求から得られる撮影対象の撮影エリアに対応する前記操作条件を前記操作条件記憶手段から取得して、該操作条件に基づいて前記撮影カメラを制御して、該撮影カメラに前記撮影対象の撮影エリアを撮影させる撮影カメラ制御手段と、該撮影画像を提供する提供手段とを有するように構成する。
【００１４】
上記外部の情報処理端末は、例えば一例としては自己の撮影を希望する観客（撮影希望者）が所持する携帯電話等であり、例えばインターネット等を介して所望の撮影要求情報を入力させる。この撮影要求情報には、例えば、上記観客が居る撮影エリアを判別可能とする識別情報等が含まれる。撮影カメラ制御手段は、撮影カメラの撮影方向等も自動制御できるものであり、上記撮影対象の撮影エリアに対応する撮影条件を用いて、撮影カメラの撮影方向等を制御することで、例えば上記撮影希望者が居る撮影エリアを撮影させることができる。
【００１５】
本発明の第２の観客画像提供システムは、予め１又は複数の観客席を含む各撮影エリア毎に、該撮影エリアを撮影する為の撮影カメラの操作条件を記憶する操作条件記憶手段と、外部の情報処理端末において任意の撮影要求を入力させて、該撮影要求を取得して記憶する撮影要求取得・記憶手段と、該撮影要求から得られる撮影対象の撮影エリアに対応する前記操作条件を前記操作条件記憶手段から取得して、該操作条件に基づいてカメラマンに指示することで、該撮影カメラに前記撮影対象の撮影エリアを撮影させる撮影指示手段と、該撮影画像を提供する提供手段とを有するように構成する。
【００１６】
上記第２の観客画像提供システムでは、撮影カメラはカメラマンが操作することを前提としている。そして、カメラマンに上記撮影対象の撮影エリアを撮影させる為の指示を出す（例えば、指示画面を表示等する）。
【００１７】
本発明の第３の観客画像提供システムは、予め１又は複数の観客席を含む各撮影エリア毎に、該撮影エリアの各境界と撮影カメラの撮影方向との対応関係を記憶する対応関係記憶手段と、外部の情報処理端末において任意の撮影要求を入力させて、該撮影要求を取得して記憶する撮影要求取得・記憶手段と、前記撮影カメラの撮影方向を検出する撮影方向検出手段と、前記撮影カメラで撮影された画像と、前記撮影方向検出手段で検出された前記撮影カメラの撮影方向とを入力し、前記対応関係記憶手段に記憶された前記対応関係を参照して、該撮影画像から前記各撮影エリアの画像を切り出して格納するエリア毎画像切出・格納手段と、前記撮影要求に応じた撮影エリアの画像を、前記エリア毎画像切出・格納手段から取得して提供する提供手段とを有するように構成する。
【００１８】
第３の観客画像提供システムでは、上記撮影希望者等に撮影要求を入力させるが、この撮影要求に従って撮影を行うものではない。撮影カメラによる撮影自体は、撮影希望者の要求には関係なく、カメラマン等によって勝手に行われる。但し、この場合でも、時々、観客を写す場合が多い。このとき、撮影カメラを回転させつつ（撮影方向を移動させつつ）撮影する場合が多い。これより、予め、各撮影エリアの各境界と撮影カメラの撮影方向との対応関係を記憶しておき、この対応関係と検出された撮影方向とに基づいて、各撮影エリアが画像に入ったときから画像から出るまでの間の画像を撮影画像から切り出すことで、各撮影エリア毎の撮影画像を生成する。そして、上記撮影要求から撮影希望者が居る撮影エリアを判別することで、撮影希望者が居る撮影エリアの撮影画像を当該撮影希望者に提供できる。尚、提供先は、撮影希望者に限るものではない。
【発明の効果】
【００１９】
本発明の観客画像提供システム等によれば、スポーツ／イベント等の観戦時の感動を映像に残すことができ、特に撮影希望者を（更に希望した時間に）確実に撮影して、撮影した画像を撮影希望者に提供できる。あるいは、任意に撮影された画像から、画像を希望した者の映像を切り出して、これを希望者に提供できる。提供の仕方は、様々である。これによって、その競技場等に行って観戦した時の感動や印象等をこれまで以上に強烈に残しておくことが可能である。
【発明を実施するための最良の形態】
【００２０】
以下、図面を参照して、本発明の実施の形態について説明する。
図１に、本例の観客画像提供システムの実施例１におけるシステム構成図を示す。
尚、本例の観客画像提供システムは、例えばスポーツ競技場やイベント会場等のように多数の観客を収容する施設において、そのスタンド等にいる多数の観客のなかの特定の観客（撮影希望者）の映像を確実に取得して提供するものであり、ここでは、スポーツ競技場の一例として野球場を例にする。
【００２１】
図示の観客画像提供システムは、撮影カメラ１、撮影カメラ制御装置２、エンコーダ３、ＤＢ（データベース）サーバ４、Ｗｅｂサーバ５等から成り、これらはＬＡＮ等のローカルネットワーク６に接続している。Ｗｅｂサーバ５は、更に、インターネット７等に接続しており、インターネット上でホームページを開設している。このホームページ上では、後述する観客（撮影希望者）等による撮影要求（識別情報、撮影希望時刻等）が入力可能となっている。これより、野球状のスタンド等にいる観客は、自己の携帯電話９を用いて、携帯電話基地局８、インターネット７を介してＷｅｂサーバ５にアクセスして、識別情報や撮影希望時刻等を登録可能となっている。識別情報は、例えば自己の座席番号や後述する撮影エリアの識別番号等である。登録内容はＤＢサーバ４に格納される。
【００２２】
撮影カメラ１は、例えば放送用／業務用カメラであり、広い野球場等であっても個々の選手や観客等を鮮明に撮影可能なものであり（ディジタルカメラが望ましい）、本例では更に、その撮影方向（パン角、チルト角等）を自動的に制御可能（又は外部から遠隔操作可能）とする為のアクチュエータ等が設けられている。更にズーム機構も外部から制御可能な構成となっている。これらアクチュエータやズーム機構の制御、及び撮影の開始／終了等の制御は、撮影カメラ制御装置２が行う。
【００２３】
撮影カメラ制御装置２は、上記登録内容（撮影要求）と、例えば図２に示す撮影エリア−操作条件対応テーブル２０に基づいて、上記アクチュエータやズーム機構の制御を行ったうえで（撮影カメラ１の撮影方向を撮影希望者の方向に向け、ズームを調整する）、撮影カメラ１による撮影を行わせる。これより、上記撮影希望者が撮影カメラ１で撮影される。
【００２４】
尚、撮影カメラを自動制御したり内部ネットワークを介してモニタ室等から遠隔制御する構成自体は、従来より存在するが、本例では、制御内容が異なる。すなわち、観客からの希望に応じて観客（撮影希望者）を撮影するように制御することは、従来では行われていない。
【００２５】
撮影された画像は、エンコーダ３でエンコードを行った後、ＤＢサーバ４に格納される。Ｗｅｂサーバ５は、上記撮影希望者の携帯電話９からアクセスがあると、当該撮影された画像をＤＢサーバ４から取得して携帯電話９に表示させる。あるいは、上記撮影要求登録の際に撮影希望者の携帯電話９のメールアドレスを登録させ、電子メールで撮影終了を通知すると共にこの電子メールに撮影画像ファイルへのリンクを埋め込むことで、撮影希望者がこのリンクをクリックすると撮影画像が携帯電話９に表示されるような構成であってもよい。
【００２６】
以下、図２以降を参照して、上記実施例１の観客画像提供システムについて更に詳細に説明する。
図１の観客画像提供システムでは、まず、予め、観客等が居ないとき等に、人間（設定者）が撮影カメラ１を操作して野球場内の各撮影エリアを視認しながら、各撮影エリアを撮影する為の撮影カメラの操作条件を設定することで、図２に示す撮影エリア−操作条件対応テーブル２０を作成しておく。上記操作条件とは、図２に示す例では、撮影カメラ１のパン角、チルト角、及びズーム位置である。
【００２７】
撮影エリアとは、図１に示す１Ａ、１Ｂ、２Ａ等の各エリアのことであり、図１に示す例では多数の観客席（数百程度）を含む大きなエリアとなっているが、この例に限らず、例えば数十程度の観客席を含む中規模エリアや、２〜６程度の観客席を含む（その観客と周りの家族、友人等を含む）小規模エリアであってもよいし、あるいは観客席自体を意味するものであってもよい。あるいは、撮影エリアは、これら大規模エリア、中規模エリア、観客席を混在させてもよい。これによって、例えば後述する撮影要求の入力の際に、撮影希望者に自己の座席の番号を入力させ、システム側で、この座席が含まれる大規模、中規模、小規模のそれぞれのエリアを判定し、上記撮影カメラ１の撮影方向やズームの制御を、大規模、中規模、小規模、及び座席に対応する４段階に調整して撮影することで、撮影希望者に対して、遠景からアップまで４種類の撮影画像を取得・提供することができるようにしてもよい。
【００２８】
また、撮影カメラ１には、上記パン角、チルト角、及びズーム位置（倍率）を各々検出する為の不図示の複数の検出器が備えられている。また、撮影カメラ１又はその近傍には、例えば撮影エリアの識別番号（上記１Ａ、２Ａ等）を入力する為の入力装置が備えられている。
【００２９】
これより、上記設定を行う際には、まず、上記設定者が、設定対象とする撮影エリアの識別番号を上記入力装置により入力後、撮影カメラ１を操作して当該撮影カメラ１を設定対象の撮影エリアの方向に向け、更にズームを調整することで、撮影エリアが撮影可能な状態になったら、例えば入力装置により「設定完了」を入力する。これにより、この時の撮影カメラ１のパン角、チルト角、及びズーム位置が上記検出器により検出され、検出されたパン角、チルト角、及びズーム位置のデータが、上記設定対象の撮影エリアの識別番号と共に、ＤＢサーバ４に送信される。
【００３０】
ＤＢサーバ４は、上記データを撮影エリア−操作条件対応テーブル２０に追加格納する。
尚、上記設定者が、上述した撮影カメラ１を操作して当該撮影カメラ１を設定対象の撮影エリアの方向に向け、更にズームを調整する作業を行う際には、当該設定対象の撮影エリアに目印を置くことが望ましい。例えば、後述する実施例３のような点灯可能なポールを設置してもよいし、その都度スタッフ等が設定対象の撮影エリアに立つようにしてもよい。
【００３１】
以上説明した作業を全ての撮影エリアについて実行することで、例えば図２に示すような撮影エリア−操作条件対応テーブル２０が作成されることになる。図示の例の撮影エリア−操作条件対応テーブル２０では、各撮影エリア２１毎に、その操作条件（パン角２２、チルト角２３、及びズーム位置２４）が格納される。当該テーブル２０を参照すれば、例えば撮影エリア１Aを撮影するための撮影カメラ１のパン角はΘ1A、チルト角はΦ1A、ズーム位置はZ1Aであることが分かる。
【００３２】
以上説明したように、事前に設定作業を行って撮影エリア−操作条件対応テーブル２０を作成済みの状態にしておき、その後、野球等の試合が行われる毎に、任意の観客（撮影希望者）からの要求に応じて、撮影エリア−操作条件対応テーブル２０を参照して当該要求に応じた操作条件を取得することで、当該撮影希望者を自動的に撮影することができる。
【００３３】
これについて、以下、撮影エリア2Aの観客が自分の映像の撮影申込を行う場合を例に説明する。尚、ここでは、撮影エリアは、図１に示すように多数の観客席を含む広いエリアであるものとし、各観客席には、その観客席が属する撮影エリアの識別番号（ここでは２Ａ）が付されているものとする。これより、この観客は自己の撮影エリアが２Ａであることを知ることができる。尚、この例に限らず、例えば指定席チケットに、撮影エリアを印刷しておくことで、事前に自己の撮影エリアを知って撮影申し込みを行えるようにしてもよい。また、撮影希望者が自分自身の撮影を要求するとは限らない。例えば、球場内にいる友人等の撮影を希望してもよい。よって、以下の説明では、撮影対象者は撮影希望者であるものとして説明するが、この例に限らない。
【００３４】
まず、任意の撮影希望者が、自己の携帯電話９のブラウザ等を起動してＷｅｂサーバ５の上記ホームページのＵＲＬを入力することで、不図示のメニュー画面を表示させ、複数のメニューの中から「撮影申し込み」を選択することで、例えば図３（ａ）のような撮影申込画面３０が携帯電話９のディスプレイに表示される。
【００３５】
撮影希望者は、この撮影申込画面３０上で任意の撮影要求を入力する。図示の例では撮影エリア入力領域３１に自己の撮影エリア2Aを入力し、撮影申込ボタン３２を押す。この例に限らず、更に、後述する撮影希望時刻や撮影時間やメールアドレス等も入力させてもよい。これにより、入力された情報（撮影要求）が、インターネット７等を経由してWebサーバ５に通知される。この通知を受けたWebサーバ５は、DBサーバ４との連携により、DBサーバ４内のDB（データベース）に格納されている撮影要求リストに、当該新たな撮影要求を追加する。その際、DBサーバ４は、管理番号と撮影時刻を任意に決定し、この管理番号と撮影時刻を上記撮影要求に対応つけて撮影要求リストに格納する。
【００３６】
この撮影リストの一例を図４（ａ）、（ｂ）に示す。
図４（ａ）、（ｂ）に示す撮影要求リスト６０は、管理番号６１、撮影エリア６２、撮影開始時刻６３、撮影終了時刻６４、及び撮影ファイル名６５の各フィールドから成る。図４（ａ）には上記撮影エリア２Ａの撮影要求が出される前の状態、図４（ｂ）には当該撮影エリア２Ａの撮影要求に応じて撮影要求リスト６０に新たな撮影要求が追加された状態を示してある。
【００３７】
管理番号６１は上記の通り任意に決定されるものであり、ここでは申込順に自然数の番号が付され、図４（ａ）では管理番号が１〜ＮまでのＮ個の撮影要求が登録されており、図４（ｂ）に示すように上記撮影エリア２Ａの撮影要求に対しては管理番号＝Ｎ＋１が割り当てられる。また、ここでは、撮影時刻も、図示の通り、申込順に１分刻みで設定し、撮影時間は20秒固定としている。但し、これは一例であり、撮影時刻を撮影希望者に指定させても良いし、更に撮影時間も撮影希望者に指定させるようにしても良い。この場合には、図３（ａ）の撮影申込画面３０に、更に、不図示の撮影希望時刻の選択領域や撮影時間の入力領域を設けることになる。また、例えば、撮影希望時刻に関しては、他の希望と重複しないようにする為に、撮影要求リスト６０を参照して、現時刻以降で選択可能な（空いている；他者が予約済みではない）時刻を一覧表示して、撮影希望者に選択させるようにしてもよい。
【００３８】
上記DBサーバ４による撮影要求リスト６０の更新処理が完了したら、Webサーバ５は、携帯電話９のブラウザの画面を図３（ｂ）のように受付完了画面４０に切り替え、撮影希望者に対して受付が完了したことと、撮影開始／終了時刻を通知する。尚、更に、上記割り当てられた管理番号（Ｎ＋１）を通知するようにしてもよい。
【００３９】
このように、撮影時刻や撮影時間を通知することで、撮影希望者は、撮影開始時刻から撮影終了時刻までの間、撮影されている事を意識して、ハイテンションで応援したり、仲間達と盛り上がったりして、より思い出深い映像を残すことができるようになる。
【００４０】
上述した撮影希望者による撮影申し込みは、基本的には、開場後から試合終了までの間、何時でも行うことができる。更に、予め上記指定席チケットを購入している者の様に、事前に自己の撮影エリアが分かる者であれば、開場前であっても（前日等であっても）、撮影申し込みを行えるようにしてもよい。申し込み日が試合当日でない場合には、図３（ａ）の画面において更に試合の日付を入力させるようにしてもよい。
【００４１】
尚、上述した説明では、撮影申し込みを自己の携帯電話９を用いて行う場合を例に説明したが、この例に限らず、他の携帯端末や現地に備え付けの専用の申込端末を用いても構わない。また、携帯電話等での入力ではなく、入場前に撮影希望者にICタグを配布し、各撮影エリアに敷設したICタグリーダーがICタグを読み込み、その読み込み情報を元に自動的に撮影申込登録を行っても良い。但し、この場合には、撮影時間等の要望を行うことはできなくなるので、上記の通り、携帯電話９等から撮影希望登録を行わせるようにすることが望ましい。
【００４２】
そして、撮影カメラ制御装置２は、試合中、図５に示す処理を繰り返し実行する。
図５に示す処理では、撮影カメラ制御装置２は、まず、DBサーバ４に問い合わせ、撮影要求リスト６０に撮影済でない（未処理の）撮影要求があるかどうかを確認し（ステップＳ１１）、未処理の撮影要求がない場合には（ステップＳ１１，ＮＯ）、一定時間待機した後（例えば数十秒程度）（ステップＳ１７）、再びステップＳ１１の処理に戻る。但し、試合終了時等のように撮影を終了する時である場合には（ステップＳ１６，ＹＥＳ）、本処理を終了する。尚、撮影済みであれば、撮影ファイル名６５に撮影した画像のファイル名が格納されている。
【００４３】
一方、撮影要求リスト６０に未処理の撮影要求がある場合は（ステップＳ１１，ＹＥＳ）、撮影要求リスト６０から処理対象の撮影要求を取得する（ステップＳ１２）。本例では、上記の通り、申し込み順に撮影時刻が自動決定されるので（撮影時刻＝直前の撮影要求の撮影時刻＋１分）、仮に、管理番号Nまでの撮影要求が処理済みであるとすると、上記処理対象の撮影要求は管理番号N+1の撮影要求となる。但し、撮影希望者が任意に撮影時刻を設定できる構成とした場合には、撮影要求リスト６０から未処理の撮影要求全ての撮影開始時刻６３を取得して、最も現在時刻に近いものを、上記処理対象の撮影要求とする。
【００４４】
続いて、上記処理対象の撮影要求の撮影エリア６２を取得し、図２の撮影エリア−操作条件対応テーブル２０を参照して、この撮影エリアを撮影する為の撮影条件（パン角、チルト角、及びズーム位置）を取得する（ステップＳ１３）。仮に処理対象の撮影要求が図４（ｂ）に示す管理番号N+1の撮影要求である場合には、その撮影エリアは２Ａであるので、図２より、その操作条件は、パン角はΘ2A、チルト角はΦ2A、ズーム位置はZ2Aとなる。
【００４５】
そして、撮影カメラ制御装置２は、上記のように取得した撮影条件を用いて、撮影カメラ１の上記アクチュエータ等を制御して、その撮影方向がパン角はΘ2A、チルト角はΦ2Aとなるようにし、更にズーム位置はZ2Aとなるように制御することで、撮影カメラ１が上記処理対象の撮影要求の撮影エリア（この例では撮影エリア２Ａ）を撮影可能な状態にする。そして、現在時刻が撮影開始時刻６３になったら撮影を開始し、撮影終了時刻６４になったら撮影を終了する（ステップＳ１４）。そして、撮影が終了したら、撮影した映像に一意のファイル名を設定してDBサーバ４に格納すると共に当該ファイル名を撮影リスト６０の撮影ファイル名６５に登録する（ステップＳ１５）。また、ステップＳ１５において更に、図３（ｃ）のような撮影完了通知画面５０を撮影希望者の携帯電話９に表示させることにより、撮影希望者に撮影が終了したことを知らせる。
【００４６】
また、撮影完了通知画面５０には、再生ボタン５１が表示されており、撮影希望者がこの再生ボタン５１を操作すると、上記撮影した映像を携帯電話９に配信して表示させることもできる。尚、この例に限らず、例えば電子メール等で上記管理番号を撮影希望者に通知することで、後からでも好きなときに、更に自宅のパソコン等からでも、上記不図示のメニュー画面においてこの管理番号を入力して「画像再生」を指示することで、撮影した画像を参照できるようにしてもよい。
【００４７】
撮影カメラ制御装置２は、撮影終了の度に、撮影リスト６０に未処理な撮影要求がないかを確認し（ステップＳ１１）、未処理の撮影要求が未だ残っている場合には逐次処理して撮影を行っていく。
【００４８】
《実施例２》
次に、以下、実施例２について説明する。
図６に、本例の観客画像提供システムの実施例２におけるシステム構成図を示す。
【００４９】
上記実施例１では、撮影カメラ１を自動操作して撮影エリアの撮影を行わせたが、実施例２では、カメラマンが撮影を行う。従って、本例の図６に示す撮影カメラ７１には、上記自動操作の為の機構（アクチュエータ等）は存在しない（普通の撮影カメラである）。また、当然、実施例１の撮影カメラ制御装置２のような制御装置も存在しない。その代わりに、図６に示す撮影位置指示装置７２を撮影カメラ７１の近傍に設けて、この撮影位置指示装置７２が、カメラマンに対して、上記処理対象の撮影要求の撮影エリアを撮影させる為の指示を出す。
【００５０】
エンコーダ７３、ＤＢサーバ７４、Ｗｅｂサーバ７６は、図１のエンコーダ３、ＤＢサーバ４、Ｗｅｂサーバ５とほぼ同じであってよい。但し、本説明では、Ｗｅｂサーバ７６は撮影した画像を携帯電話９に表示させる処理を行わない（代わりに、後述するように、提供物作成装置７５が、撮影した画像を印刷したり記録媒体に記録する）が、これは実施例２に必須の構成というわけではなく、実施例１と同様にしてもよい。また、逆に、実施例１において、例えば提供物作成装置７５を設けるようにしてもよい。
【００５１】
この様に、実施例２が実施例１と異なる点は、撮影カメラ１と撮影カメラ制御装置２との代わりに、上記撮影カメラ７１と撮影位置指示装置７２とを設け、カメラマンが撮影希望者の撮影を行えるように指示を出すようにしたことである。
【００５２】
以下、実施例２の観客画像提供システムの動作について、図７以降も参照して詳細に説明する。
まず、事前に撮影エリア−操作条件対応テーブル２０を作成しておく事は、実施例１と同じである。
【００５３】
次に、撮影希望者が自己の携帯電話９からＷｅｂサーバ７６にアクセスすることで、例えば図３（ａ）のような撮影申込画面を携帯電話９のディスプレイに表示させ、撮影エリア等を入力させることで、撮影リストに新規の撮影要求を追加することも、基本的には、実施例１と同じである。但し、本例では、携帯電話９のメールアドレスを入力させる。また、管理番号や撮影開始時刻も、実施例１と同様にして自動決定するか又は設定させる。これより、図７（ａ）、（ｂ）に示すように、本例の撮影要求リスト８０は、管理番号８１、撮影エリア８２、メールアドレス８３、撮影開始時刻８４、及び撮影ファイル名８５より成る。尚、撮影終了時刻がないのは、撮影時間が２０秒固定となっているからである（その意味では実施例１においても必ずしも必要ない）。
【００５４】
撮影カメラマンは、試合が始まったら撮影カメラ７１を操作して撮影を開始し、エンコーダ７３が撮影映像のエンコードを始める。撮影位置指示装置７２は、試合中、図８の処理を繰り返し実行する。
【００５５】
撮影位置指示装置７２の処理フローチャート図を図８に示す。
図８において、まず、ステップＳ２１〜Ｓ２３の処理、及びステップＳ２８，Ｓ２９の処理は、図５のステップＳ１１〜Ｓ１３、及びステップＳ１６，Ｓ１７の処理と同じであるので、ここでの説明は省略する。
【００５６】
撮影位置指示装置７２は、ステップＳ２３において撮影条件を取得したら、この撮影条件におけるパン角と、上記実施例１で説明した検出器によって検出された撮影カメラ７１の現在のパン角とに基づいて、自己のディスプレイ等に、例えば図９に示すような、現在の撮影方向と撮影すべき撮影方向とを示す撮影位置指示画面９０を表示する（ステップＳ２４）。また、更に、撮影要求リスト８０から撮影希望者の撮影エリアの識別番号を取得して、図９に示すように、この撮影対象の撮影エリアを他の撮影エリアと区別して（例えば表示色を変えて）表示してもよい。勿論、その為に、予め、各撮影エリア毎に図９の画面上での表示座標をその識別番号に対応付けて登録しておく必要がある。
【００５７】
図９に示す表示を見れば、撮影カメラ７１が現在向いている方向と撮影希望者が居る方向との相対的な位置関係が分かるので、カメラマンはこの表示を見て、撮影カメラ７１を操作して、撮影カメラ７１を撮影希望者が居るエリアの方向に向ける。図示の例では、現在位置から右方向に１０〜２０度程度、撮影カメラを回転させることになる。撮影エリアが２Ａであること、すなわちスタンドにおける下側であることが分かるので、その方向（チルト角の方向）に撮影カメラを向ける。更に、図９には示していないが、ズーム位置を表示することで、カメラマンは撮影カメラ７１のズームを調整するようにしてもよい。
【００５８】
但し、撮影エリアが図示のような大きなエリアである場合には、上記の操作を行うことで撮影希望者が居るエリアを撮影可能な状態とすることはプロのカメラマンであれば容易であるが、撮影エリアが中規模、小規模なエリア、あるいは撮影希望者の席である場合には、図９のような画面を見ただけでは、正確な調整は難しいと考えられる。
【００５９】
これより、撮影位置指示装置７２は、上記撮影位置指示画面９０を表示後、カメラマンが撮影カメラ７１を操作しているときに、上記各種検出器で検出した撮影カメラ７１のパン角、チルト角、ズーム位置と、上記取得した撮影条件（上記例では、パン角Θ2A、チルト角Φ2A、ズーム位置Z2A）とを比較して、それぞれ、一致したときに、表示／音声／ブザーによって、一致したことをカメラマンに知らせる（ステップＳ２５）。すなわち、まず、カメラマンが、撮影カメラ７１を操作して大雑把に撮影エリア２Ａの方向に向けるようにし、更に微調整する段階で、そのパン角がパン角Θ2Aと一致したことを検出すると、例えばブザーを鳴らす。すると、カメラマンは、続いて、チルト角を調整する操作を行い、チルト角がチルト角Φ2Aと一致したことを検出すると、例えばブザーを鳴らす。最後に、カメラマンがズームを調整する操作を行い、ズーム位置がズーム位置Z2Aと一致したことを検出すると、例えばブザーを鳴らす。
【００６０】
これにより、撮影エリアが狭いエリアである場合でも、正確に撮影希望者の撮影エリアを撮影可能な状態とすることができる。
カメラマンは、上記のように撮影位置指示装置７２からの指示に従って撮影カメラを操作し、撮影準備ができたら、不図示の撮影準備完了ボタンを押す。これに応じて、Webサーバ７６は、DBサーバ７４との連携により、DBサーバ７４内のDBに格納されている撮影要求リスト８０における当該撮影対象者のメールアドレス８３を取得し、このメールアドレスを用いて当該撮影対象者の携帯電話９に対して撮影準備が完了したことを電子メールで通知する。
【００６１】
ここでは、撮影カメラ７１は、例えば、試合中は常時撮影を行っているものとする。そして、撮影された画像は常時、ＤＢサーバ７４に入力しているものとする。この場合、ＤＢサーバ７４は、入力された撮影画像から、撮影開始時刻８４から予め設定される所定時間Ｔ１（例えば２０秒）経過するまでの間の撮影画像を切り出して、実施例１と同様に、切り出した撮影画像に一意のファイル名を設定してＤＢサーバ７４に格納すると共に、このファイル名を撮影要求リスト８０の撮影ファイル名８５に登録する（ステップＳ２７）。勿論、この例に限らず、撮影開始時刻になったら、音声／ブザー等でカメラマンに知らせることで、撮影の開始、終了を行わせ（撮影時間２０秒は予め知らせておく）、撮影された画像は全て（切り出しを行うことなく）用いるようにしてもよい。
【００６２】
尚、上記一例では、撮影画像は動画となるが、これに限らず、静止画としてもよいし、動画と静止画とを混在させてもよい。動画と静止画を混在させる場合には、例えば、撮影開始時刻８４から予め設定される所定時間Ｔ２（例えば１０秒）になったら、一時的に静止画を撮影させるように音声等でカメラマンに指示する。その後は、上記撮影開始時刻８４から所定時間Ｔ１経過までの撮影画像（動画、静止画の両方を含むことになる）を切り出して、この動画、静止画それぞれに一意のファイル名を設定してDBサーバ７４に格納すると共に撮影リスト８０に登録する。これは、実施例１においても同様にしてよい。実施例１の場合は、撮影カメラ制御装置２によって自動的に撮影カメラ７１の撮影モードを切り替え制御して、静止画を撮影することになる。
【００６３】
撮影位置指示装置７２は、任意の撮影エリアを撮影終了する毎に、ステップＳ２１に戻り、撮影リスト８０に未処理の撮影要求がないかを確認し、未処理の撮影要求が残っているならば逐次処理していく。
【００６４】
撮影画像の提供方法としては、例えばＷｅｂサーバ７６が、実施例１の場合と同様に撮影希望者の携帯電話に図３（ｃ）のような撮影完了通知画面５０を表示させてもよいが、ここでは他の例として、撮影画像を印刷または記録媒体に格納して撮影希望者に提供するものとする。この例では、上記撮影完了後、Ｗｅｂサーバ７６は、撮影リスト８０のメールアドレスを用いて、撮影希望者の携帯電話９に、撮影終了した旨を通知する。この通知には、その管理番号８１も記載されている。
【００６５】
提供物作成装置７５は、例えば、野球場の出口近くに設置されており、そこには現地スタッフが居るものとする。撮影希望者は、もし印刷物又は記録媒体の提供を希望する場合には、この現地スタッフに、上記通知された管理番号と共に、印刷物又は記録媒体の提供希望を知らせる。これより、現地スタッフは、提供物作成装置７５を操作して、当該撮影希望者を撮影した撮影画像の印刷物又はこの撮影画像を記録した記録媒体を生成して、これを撮影希望者に渡す。これは、例えば、提供物作成装置７５のディスプレイには図１０に示すような出力申込画面１００が表示され、現地スタッフは、入力領域１０１に上記管理番号を入力し、選択領域１０２において印刷物又は記録媒体の何れかを選択した後、申込ボタン１０３をクリックする。これより、提供物作成装置７５は、入力された管理番号より、撮影要求リスト８０から対応する撮影ファイル名８５を取得し、この撮影ファイル名８５の撮影ファイルを取得して、この撮影画像を印刷又は記録媒体に記録する。尚、印刷する場合は、上記静止画のみとなる。
【００６６】
尚、提供物作成装置７５の上記操作は、現地スタッフではなく、撮影希望者自身が行うようにしてもよい。
尚、上記実施例１又は実施例２において、撮影準備が完了したことを撮影希望者に通知するようにしたが、この例に限らず、例えば図１１に示すような状態通知画面を、競技場内の巨大電光掲示板等の画面の隅等に表示することで、各撮影希望者が何時どの撮影カメラから撮影されるのかを知ることができるだけでなく、他の観客も、現在どの撮影エリアが撮影中であり、次にどの撮影エリアが撮影されるのかを知ることが出来るようにしてもよい。また、図１１のような状態通知画面を、撮影希望者の携帯電話９に表示させるようにしてもよい。この場合には、撮影エリアの代わりに撮影要求毎に一意な識別情報（例えば、上記管理番号等）を表示するようにしても良い。
【００６７】
《実施例３》
以下、実施例３について説明する。
図１２に、本例の観客画像提供システムの実施例３におけるシステム構成図を示す。図示の通り、この実施例３では、撮影カメラが２台あり（撮影カメラ１１１，１１４）、各撮影カメラ１１１，１１４は、各々、カメラマンによって任意に操作・撮影される。
【００６８】
但し、これは一例であり、例えば実施例１において説明した、既存の撮影カメラ自動制御／遠隔操作システムを前提としてもよい。この場合でも、撮影希望者の希望は何等関係なく撮影が行われることにかわりはないからである。
【００６９】
この様に、実施例３では、撮影カメラ１１１，１１４は、例えばＴＶ放送用の（又は野球場内の巨大スクリーンに表示させる為の）画像を撮影するのであり、撮影希望者の希望は一切関係なく撮影が行われる。従って、基本的には、野球選手のプレーが撮影されることになる。しかし、通常、ＴＶ放送では、選手だけではなく、例えばプレーの合間に観客の様子を撮影して放送するものである。あるいは、ＴＶ放送では、通常、複数台の撮影カメラからの画像を切り替えて放送するのであり、選手のプレーが放送されているときにも、他の撮影カメラが観客の様子を撮影している場合もある。
【００７０】
実施例３では、この様に任意に撮影された画像から、各撮影エリアを撮影した部分を切り出して格納し、各撮影希望者に当該撮影希望者が居る撮影エリアの画像を提供するものである。従って、全ての撮影希望者が撮影される保障はない。また、図１２において撮影カメラを２台としているのは、本例では上記の通り、特定の撮影カメラによって撮影希望者を必ず撮影するものではないので、特定の撮影カメラの撮影画像のみを用いるものではないことを示す為のものである。従って、２台に限らず、例えば球場内の全ての撮影カメラの撮影映像を用いてもよい。その一方で、特定の撮影カメラ（例えば主に観客席を写しているようなカメラ）の撮影画像のみを用いてもよい。
【００７１】
また、上記のようにして任意に観客を撮影する場合、任意の場所を固定的に撮影する場合もあるが、例えば撮影カメラの撮影方向を横方向又は縦方向に動かしながら撮影する場合が多いと考えられる。ここでは、一例として、横方向に動かしながら撮影された画像から各撮影希望者の撮影エリアを撮影した部分を切り出す場合について説明する。
【００７２】
この様な場合には、各撮影エリアと操作条件との対応関係は、図２等のような１対１の関係とはしない方がよい。撮影カメラの撮影方向が横方向に移動していく途中で、特定の撮影エリアが画像に入り始めたときから、画像の外に出るまでの間の撮影画像を、切り出せるように、対応関係を設定することが望ましい。すなわち、この例では、各撮影エリア毎に、その左右端（左右の他のエリアとの境界線）の位置のパン角を検出して登録する。その為に、例えば図１３に示す方法を用いる。
【００７３】
図１３に示す設定方法では、まず、観客席に、各撮影エリアを識別可能とする為の目印を設ける。ここでは、一例として、図１３（ａ）に示すように点灯可能なポールを各撮影エリアの４つの角に設置する。そして、設定対象の撮影エリアの４つのポールを点灯させる。ここでは、設定対象を撮影エリア３Ａとする。そして、例えば観客席の最も左側、すなわち撮影エリア５Ａの左端から撮影を開始し、時計周りで除々に撮影方向を変えていく。すると、撮影画像は、例えば、図１３（ｂ）、（ｃ）、（ｄ）、（ｅ）、（ｆ）のように変わっていく。そして、画像中に図１３（ｃ）のように点灯ポールの１つが入ったときに、作業者等が登録指示を行うと、このときに上記検出器で検出されたパン角Θ31をＤＢサーバ１１７が取得し、これを図１４に示すようにＤＢサーバ１１７内に格納されている撮影エリア−ＩＮ／ＯＵＴ点関係テーブル１２０に登録する。すなわち、撮影エリア３Ａに関して、このパン角Θ31は、時計周りの回転においてはＩＮ点、反時計周りの回転においてはＯＵＴ点として登録される。更に、撮影カメラが時計周りに回転していき、図１３（ｄ）の状態を経て、再び１つの点灯ポールのみが撮影される状態になったら、上記と同様に、この時のパン角Θ32を検出して、撮影エリア−ＩＮ／ＯＵＴ点関係テーブル１２０に登録する。すなわち、撮影エリア３Ａに関して、このパン角Θ32は、時計周りの回転においてはＯＵＴ点、反時計周りの回転においてはＩＮ点として登録される。
【００７４】
全ての撮影エリアについて、上記のように、その左右端のパン角を検出して登録する。そして、任意の撮影カメラについて登録が完了したら、他の撮影カメラについても同様にして登録を行う。
【００７５】
そして、試合中は、ＤＢサーバ１１７には、各撮影カメラ１１１，１１４等が撮影した撮影画像が常時入力されており、ＤＢサーバ１１７は、図１５に示す処理を実行する。すなわち、図１５において、ＤＢサーバ１１７は、試合が終了する等して撮影画像が入力されなくなるまで（ステップＳ３１がＮＯとなるまで）、ステップＳ３２〜Ｓ３４の処理を繰り返し実行する。
【００７６】
すなわち、まず、各撮影カメラ１１１，１１４からは、常時、上記撮影画像と共に上述した各種検出器が検出した撮影カメラの現在の撮影状態（回転方向、パン角、チルト角等）が出力されており、ＤＢサーバ１１７は、上記の通り撮影画像を入力すると共にこの撮影状態データも入力している（ステップＳ３２）。これより、ＤＢサーバ１１７は、撮影カメラの現在のパン角を取得する毎に、図１４の撮影エリア−ＩＮ／ＯＵＴ点関係テーブル１２０を参照して、取得したパン角と一致するパン角があるか否かを判定する（ステップＳ３３）。一致するものが無い場合には（ステップＳ３３，ＮＯ）、ステップＳ３１に戻る。
【００７７】
一致するものがある場合には（ステップＳ３３，ＹＥＳ）、撮影エリア−ＩＮ／ＯＵＴ点関係テーブル１２０から対応するデータを取得して、この時の撮影画像の撮影時間と対応付けて記録する（ステップＳ３４）。例えば、回転方向が時計周り方向でパン角がΘ31であった場合、撮影エリア３ＡのＩＮ点として上記撮影時間を記録する。あるいは、この時の撮影画像に直接、撮影エリア３ＡのＩＮ点である事を記録してもよい。ディジタル画像であれば各フレーム毎に管理情報（撮影時間等）も記録されているので、この管理情報に撮影エリア３ＡのＩＮ点である事を追加・記録する。その後、パン角Θ32が検出された時点で、この撮影画像に対して（又は撮影時間に対応付けて）、撮影エリア３ＡのＯＵＴ点であることが記録されることになる。
【００７８】
尚、ＤＢサーバ１１７は、入力された撮影画像を格納している。また尚、例えば、現在選手を写しているのか、スタンドを写しているのかを区別したり、例えばほぼ同じ方向にある撮影エリア５Ａと５Ｂとを区別することは、検出されたチルト角に基づいて判定できる。よって、たとえパン角がΘ31等であっても、選手を写していると判定した場合には、上記ステップＳ３３の判定はＮＯとなる。
【００７９】
上記ＩＮ点／ＯＵＴ点の記録の一例として、例えば図１６（ａ）において、撮影カメラ１１１が撮影エリア５Ａの図上左隅から撮影を開始し、時計周りに回転することで、撮影エリア４Ａ，３Ａ，２Ａ，１Ａの順に順次撮影を行っていくものとする。この場合、図１６（ｂ）に示すように撮影画像に対して各撮影エリアのＩＮ点、ＯＵＴ点が記録されることになる。
【００８０】
そして、試合終了したら（ステップＳ３１，ＮＯ）、例えば図１６（ｂ）のように記録されたＩＮ点、ＯＵＴ点に基づいて、撮影画像から各撮影エリア毎にＩＮ点−ＯＵＴ点間の画像を切り出すことで、例えば図１６（ｃ）に示すように各撮影エリアの画像を生成する（ステップＳ３５）。
【００８１】
そして、実施例３においても、実施例１，２と同様に、Ｗｅｂサーバ１１８によって各撮影希望者の撮影要求を受け付けて、ＤＢサーバ１１７に、例えば図７に示すような撮影要求リスト８０を作成・格納しているので（その他、受付完了の通知等も同様にして行っている）、この撮影要求リスト８０に基づいて、各撮影希望者に、その者が居る撮影エリアの画像を提供することができる。提供方法は、実施例１や実施例２で説明している何れかの方法であればよい。尚、実施例３で、各撮影希望者個別の撮影映像は提供できない。例えば、撮影エリア２Ａに居る撮影希望者全てに、同じ撮影画像が提供されることになる。
【００８２】
最後に、実施例４について説明する。
図１７に、本例の観客画像提供システムの実施例４におけるシステム構成図を示す。
図示の構成において撮影カメラ１３１、撮影カメラ制御装置１３３、ＤＢサーバ１３５、及びＷｅｂサーバ１３６は、一部を除いて、実施例１の撮影カメラ１、撮影カメラ制御装置２、ＤＢサーバ４、及びＷｅｂサーバ５とほぼ同じであるが、異なる点は、撮影画像の配信先を、撮影希望者本人だけでなく、撮影希望者の家族、友人等のような本人以外の第３者とすることができる点である。その為に、実施例４では、例えば図１８（ａ）の撮影申込画面１４０に撮影エリア入力領域１４１に加えてメールアドレス入力領域１４２（図では１つだが複数可）を設け、この入力領域１４２に、撮影希望者の携帯電話９や撮影希望者の家族、友人等の情報処理端末１３９（携帯電話、パソコン等）のメールアドレスを入力可能な構成とする。勿論、入力されたメールアドレスは、ＤＢサーバ１３５の撮影要求リストに登録される。
【００８３】
そして、実施例１と同様にして撮影カメラ制御装置１３３によって撮影カメラ１３１が操作されて撮影希望者の居る撮影エリアが撮影され、この撮影画像がＤＢサーバ１３５に格納されると、Ｗｅｂサーバ１３６は上記各メールアドレスを用いて、撮影希望者の携帯電話９や撮影希望者の家族、友人等の情報処理端末１３９（携帯電話、パソコン等）に対して、撮影完了した旨を通知する電子メールを送信する。この電子メールにはリンク先が埋め込まれており、撮影希望者やその家族／友人等が、このリンク先を指定することで、自己の携帯電話やパソコン等に例えば図１８（ｃ）のような画面１６０が表示される。そして、図示の再生ボタン１６１をクリックすると、上記撮影画像が表示されることになる。
【００８４】
尚、以上の特徴は、実施例２において適用してもよい。
尚、実施例２で説明したような、撮影画像を印刷したり記録媒体に格納する例でも、撮影希望者の家族、友人等が撮影画像を見ることは可能となる。しかし、これは、後から見ることができるだけである。すなわち、撮影希望者が、試合終了後、帰宅等してから見ることができるだけである。これに対して、本例では、ほぼリアルタイムで（試合中に）、撮影希望者の家族、友人等が撮影画像を見ることが可能となる。
【００８５】
また、実施例４では、更に、図１７に示す撮影画像合成装置１３４を設けて、これを利用して、合成画像を提供することも特徴としている。撮影画像合成装置１３４は、撮影カメラ１３１が撮影した画像と、撮影カメラ１３２が撮影した画像とを入力して、これら２つの画像を合成して、この合成画像をＤＢサーバ１３５に渡して格納させる。Ｗｅｂサーバ１３６は、この合成画像を、撮影希望者やその家族、友人等に提供する。提供方法は、上記の通り、様々であってよい。尚、画像合成は、既存の一般的な技術を用いればよいので、ここでは特に説明しない。
【００８６】
撮影カメラ１３１が撮影する画像は、上記の通り、撮影希望者がいる撮影エリアの画像である。一方、撮影カメラ１３２が撮影する画像は、撮影希望者の希望は何も関係の無い通常のＴＶ放送用等の画像であり、通常は、フィールド上のプレーの様子（選手等）を撮影している。これより、上記合成画像は、選手のプレー画像と撮影希望者の観戦の様子とが同時に写される２分割画像等となり、試合を観戦している様子が臨場感溢れる映像として撮影希望者やその家族、友人等に提供されることになる。
【００８７】
尚、上記実施例１〜４において、そのシステム構成図は一例を示しているだけであり、例えば、ＷｅｂサーバがＤＢサーバの機能も備えるようにしてもよいし、実施例１、４においてＤＢサーバが撮影カメラ制御装置の機能も備えるようにしてもよい。
図１９は、上記観客画像提供システムを構成する各コンピュータ（ＤＢサーバ、Ｗｅｂサーバ、撮影カメラ制御装置、撮影位置指示装置）のハードウェア構成の一例を示す図である。
【００８８】
同図に示すコンピュータ２００は、ＣＰＵ２０１、メモリ２０２、入力装置２０３、出力装置２０４、外部記憶装置２０５、媒体駆動装置２０６、ネットワーク接続装置２０７等を有し、これらがバス２０８に接続された構成となっている。同図に示す構成は一例であり、これに限るものではない。
【００８９】
ＣＰＵ２０１は、当該コンピュータ２００全体を制御する中央処理装置である。
メモリ２０２は、プログラム実行等の際に、外部記憶装置２０５（あるいは可搬型記録媒体２０９）に記憶されているプログラムあるいはデータを一時的に格納するＲＡＭ等のメモリである。ＣＰＵ２０１は、メモリ２０２に読み出したプログラム／データを用いて、上述した各種処理を実行する。例えば、当該コンピュータ２００が撮影カメラ制御装置２である場合には、上記プログラム／データを用いて、図５の処理を実行する。当該コンピュータ２００が撮影位置指示装置７２である場合には、上記プログラム／データを用いて、図８の処理を実行する。当該コンピュータ２００がＤＢサーバ１１７である場合には、上記プログラム／データを用いて、図１５の処理を実行する。
【００９０】
その他の上述してある各種処理、例えば、ＤＢサーバ４、７４、１３５による撮影リスト作成処理、Ｗｅｂサーバ５、７６、１１８、１３６による撮影要求受付処理、各種通知処理、撮影画像配信処理等、提供物作成装置７５による申し込み受付処理、提供作成処理等も、各々の外部記憶装置等に記憶された上記プログラム／データを用いてＣＰＵ２０１が実行する。
【００９１】
入力装置２０３は、例えばキーボード、マウス、タッチパネル等である。
出力装置２０４は、例えばディスプレイ、プリンタ等である。
外部記憶装置２０５は、例えば磁気ディスク装置、光ディスク装置、光磁気ディスク装置等であり、上述した、各種処理をＣＰＵ２０１で実行させる為のプログラム／データが格納されている。上記の通り、これらプログラム／データは、可搬型記録媒体２０９に格納されているものであってもよい。
【００９２】
媒体駆動装置２０６は、可搬型記録媒体２０９に記憶されているプログラム／データ等を読み出す。可搬型記録媒体２０９は、例えば、ＦＤ（フレキシブルディスク）、ＣＤ−ＲＯＭ、メモリカード、ＤＶＤ、光磁気ディスク等である。
【００９３】
ネットワーク接続装置２０７は、ネットワークに接続して、外部の情報処理装置とプログラム／データ等の送受信を可能にする構成である。
尚、当該コンピュータ２００が撮影カメラ制御装置２である場合には、入力装置２０３、  出力装置２０４等は特に必要ない代わりに、撮影カメラ１を制御する為の信号を入出力するインタフェースが必要となる。当該コンピュータ２００が撮影位置指示装置７２である場合には、上述した各種検出器による検出信号を入力する為のインタフェースが必要となる。
【００９４】
図２０は、上記プログラムを記録した記録媒体、プログラムのダウンロードの一例を示す図である。
図示のように、上記観客画像提供システムの各種機能を実現する為のプログラム／データが記憶されている可搬型記録媒体２０９からコンピュータ２００側に読み出して、メモリ２０２に格納し実行するものであってもよいし、また、上記プログラム／データは、ネットワーク接続装置２０７により接続しているネットワーク２１０（インターネット等）を介して、外部のサーバ２２０の記憶部２２１に記憶されているプログラム／データをダウンロードするものであってもよい。
【００９５】
また、本発明は、装置／方法に限らず、上記プログラム／データを格納した記録媒体（可搬型記録媒体２０９等）自体として構成することもできるし、上記プログラム自体として構成することもできる。
【００９６】
（付記１）  予め１又は複数の観客席を含む各撮影エリア毎に、該撮影エリアを撮影する為の撮影カメラの操作条件を記憶する操作条件記憶手段と、
外部の情報処理端末において任意の撮影要求を入力させて、該撮影要求を取得して記憶する撮影要求取得・記憶手段と、
該撮影要求から得られる撮影対象の撮影エリアに対応する前記操作条件を前記操作条件記憶手段から取得して、該操作条件に基づいて前記撮影カメラを制御して、該撮影カメラに前記撮影対象の撮影エリアを撮影させる撮影カメラ制御手段と、
該撮影画像を提供する提供手段と、
を有することを特徴とする観客画像提供システム。
【００９７】
（付記２）  予め１又は複数の観客席を含む各撮影エリア毎に、該撮影エリアを撮影する為の撮影カメラの操作条件を記憶する操作条件記憶手段と、
外部の情報処理端末において任意の撮影要求を入力させて、該撮影要求を取得して記憶する撮影要求取得・記憶手段と、
該撮影要求から得られる撮影対象の撮影エリアに対応する前記操作条件を前記操作条件記憶手段から取得して、該操作条件に基づいてカメラマンに指示することで、該撮影カメラに前記撮影対象の撮影エリアを撮影させる撮影指示手段と、
該撮影画像を提供する提供手段と、
を有することを特徴とする観客画像提供システム。
【００９８】
（付記３）  予め１又は複数の観客席を含む各撮影エリア毎に、該撮影エリアの各境界と撮影カメラの撮影方向との対応関係を記憶する対応関係記憶手段と、
外部の情報処理端末において任意の撮影要求を入力させて、該撮影要求を取得して記憶する撮影要求取得・記憶手段と、
前記撮影カメラの撮影方向を検出する撮影方向検出手段と、
前記撮影カメラで撮影された画像と、前記撮影方向検出手段で検出された前記撮影カメラの撮影方向とを入力し、前記対応関係記憶手段に記憶された前記対応関係を参照して、該撮影画像から前記各撮影エリアの画像を切り出して格納するエリア毎画像切出・格納手段と、
前記撮影要求に応じた撮影エリアの画像を、前記エリア毎画像切出・格納手段から取得して提供する提供手段と、
を有することを特徴とする観客画像提供システム。
【００９９】
（付記４）  前記提供手段は、前記撮影画像又は前記切り出した画像を、前記外部の情報処理端末又は前記撮影要求において指定された任意の携帯電話又は情報処理装置に、表示させることを特徴とする付記１〜３の何れかに記載の観客画像提供システム。
【０１００】
（付記５）  前記撮影要求取得・記憶手段は、前記撮影要求に任意の撮影時刻を割り当てて記憶し、
該撮影時刻を前記外部の情報処理端末に通知する通知手段を更に有し、
前記撮影カメラ制御手段は、前記撮影時刻になると、前記撮影カメラに前記撮影対象の撮影エリアを撮影させることを特徴とする付記１記載の観客画像提供システム。
【０１０１】
（付記６）  前記撮影要求取得・記憶手段は、前記外部の情報処理端末において任意の撮影希望時刻を入力させ、前記撮影要求には該撮影希望時刻が含まれ、
前記撮影カメラ制御手段は、該撮影希望時刻になると、前記撮影カメラに前記撮影対象の撮影エリアを撮影させることを特徴とする付記１記載の観客画像提供システム。
【０１０２】
（付記７）  前記撮影要求取得・記憶手段は、前記外部の情報処理端末において任意の観客席番号を入力させ、前記撮影要求には該観客席番号が含まれ、
前記撮影対象の撮影エリアは該観客席番号に基づいて判別される１又は複数の撮影エリアであることを特徴とする付記１又は２記載の観客画像提供システム。
【０１０３】
（付記８）  前記撮影指示手段は、前記撮影対象の撮影エリアの位置／方向を表示することにより、前記カメラマンへの指示を行うことを特徴とする付記２記載の観客画像提供システム。
【０１０４】
（付記９）  前記撮影カメラの現在の撮影状態を検出する検出手段を更に備え、
前記撮影指示手段は、前記カメラマンによって任意に操作される前記撮影カメラの撮影状態が、前記操作条件と合致したときに、操作条件に合致したことを前記カメラマンに報知することを特徴とする付記２記載の観客画像提供システム。
【０１０５】
（付記１０）  第２の撮影カメラと、
該第２の撮影カメラで撮影された画像と、前記撮影カメラで撮影された前記撮影対象の撮影エリアの画像とを合成する画像合成手段とを更に備え、
前記提供手段は該合成画像を提供することを特徴とする付記１又は２記載の観客画像提供システム。
【０１０６】
（付記１１）  撮影カメラを制御する撮影カメラ制御装置であって、
予め記憶されている、各撮影エリアに対応する前記撮影カメラの操作条件と、外部の情報処理端末から入力された任意の撮影要求とに基づいて、該撮影要求から得られる撮影対象の撮影エリアに対応する前記操作条件に基づいて前記撮影カメラを制御して、該撮影カメラに前記撮影対象の撮影エリアを撮影させる制御手段、
を有することを特徴とする撮影カメラ制御装置。
【０１０７】
（付記１２）  撮影カメラを制御するコンピュータに、
予め記憶されている、各撮影エリアに対応する前記撮影カメラの操作条件と、外部の情報処理端末から入力された任意の撮影要求とに基づいて、該撮影要求から得られる撮影対象の撮影エリアに対応する前記操作条件に基づいて前記撮影カメラを制御して、該撮影カメラに前記撮影対象の撮影エリアを撮影させる機能、
を実現させる為のプログラム。
【図面の簡単な説明】
【０１０８】
【図１】本例の観客画像提供システム（実施例１）のシステム構成図である。
【図２】撮影エリア−操作条件対応テーブルの一例である。
【図３】（ａ）は撮影申込画面、（ｂ）は受付完了通知画面、（ｃ）は撮影完了通知画面の一例である。
【図４】（ａ）、（ｂ）は、撮影要求リストの一例である。
【図５】撮影カメラ制御装置の動作フローチャート図である。
【図６】本例の観客画像提供システム（実施例２）のシステム構成図である。
【図７】（ａ）、（ｂ）は、撮影要求リストの一例である。
【図８】撮影位置指示装置の動作フローチャート図である。
【図９】撮影位置指示画面の一例である。
【図１０】出力申込画面の一例である。
【図１１】状態通知画面の一例である。
【図１２】本例の観客画像提供システム（実施例３）のシステム構成図である。
【図１３】（ａ）〜（ｆ）は、各撮影エリアと操作条件との対応関係を設定する方法を説明する為の図である。
【図１４】撮影エリア−ＩＮ／ＯＵＴ点関係テーブルの一例である。
【図１５】ＤＢサーバによる処理フローチャート図である。
【図１６】（ａ）〜（ｃ）は、撮影した画像から各撮影エリア毎の画像を生成する例を示す図である。
【図１７】本例の観客画像提供システム（実施例４）のシステム構成図である。
【図１８】（ａ）は撮影申込画面、（ｂ）は受付完了通知画面、（ｃ）は撮影完了通知画面の一例である。
【図１９】コンピュータ・ハードウェア構成図である。
【図２０】可搬型記録媒体、ダウンロードの一例である。
【図２１】従来技術を説明する為の図である。
【符号の説明】
【０１０９】
１  撮影カメラ
２  撮影カメラ制御装置
３  エンコーダ
４  ＤＢサーバ
５  Ｗｅｂサーバ
６  内部ネットワーク
７  インターネット
８  携帯電話基地局
９  携帯電話
１０  大型映像装置
２０  撮影エリア−操作条件対応テーブル
２１  撮影エリア
２２  パン角
２３  チルト角
２４  ズーム位置
３０  撮影申込画面
３１  撮影エリア入力領域
３２  撮影申込画面
４０  受付完了通知画面
５０  撮影完了通知画面
５１  再生ボタン
６０  撮影要求リスト
６１  管理番号
６２  撮影エリア
６３  撮影開始時刻
６４  撮影終了時刻
６５  撮影ファイル名
７１  撮影カメラ
７２  撮影位置指示装置
７３  エンコーダ
７４  ＤＢサーバ
７５  提供物作成装置
７６  Ｗｅｂサーバ
８０  撮影要求リスト
８１  管理番号
８２  撮影エリア
８３  メールアドレス
８４  撮影開始時刻
８５  撮影ファイル名
１００  出力申込画面
１０１  入力領域
１０２  選択領域
１０３  申込ボタン
１１１，１１４  撮影カメラ
１１２、１１５  エンコーダ
１１７  ＤＢサーバ
１１８  Ｗｅｂサーバ
１２０  撮影エリア−ＩＮ／ＯＵＴ点関係テーブル
１３１，１３２  撮影カメラ
１３３  撮影カメラ制御装置
１３４  撮影映像合成装置
１３５  ＤＢサーバ
１３６  Ｗｅｂサーバ
１３９  情報処理端末
１４０  撮影申込画面
１４１  撮影エリア入力領域
１４２  メールアドレス入力領域
１４３  撮影申込ボタン
１５０  受付完了通知画面
１６０  撮影完了通知画面
１６１  再生ボタン
２００  コンピュータ
２０１  ＣＰＵ
２０２  メモリ
２０３  入力装置
２０４  出力装置
２０５  外部記憶装置
２０６  媒体駆動装置
２０７  ネットワーク接続装置
２０８  バス
２０９  可搬型記録媒体
２１０  ネットワーク
２２０  外部のサーバ
２２１  記憶部
【図２】
2007142896.tif 000003
【図４】
2007142896.tif 000004
【図５】
2007142896.tif 000005
【図７】
2007142896.tif 000006
【図８】
2007142896.tif 000007
【図１１】
2007142896.tif 000008
【図１４】
2007142896.tif 000009
【図１５】
2007142896.tif 000010
【図１９】
2007142896.tif 000011
【図２０】
2007142896.tif 000012
【図１】
2007142896.tif 000013
【図３】
2007142896.tif 000014
【図６】
2007142896.tif 000015
【図９】
2007142896.tif 000016
【図１０】
2007142896.tif 000017
【図１２】
2007142896.tif 000018
【図１３】
2007142896.tif 000019
【図１６】
2007142896.tif 000020
【図１７】
2007142896.tif 000021
【図１８】
2007142896.tif 000022
【図２１】
2007142896.tif 000023